(57)【要約】【課題】より効率的に外部に排出されるケミカルエミッションの低減を図ることができる画像形成装置を提供する。【解決手段】複合機１１は、作像器と、定着部と、ストック部４０と、カバー４１とを備える。作像器は、トナーによる可視画像を形成して用紙に転写する。定着部は、作像器により転写された可視画像を用紙に定着させる。ストック部４０は、定着部により定着させた用紙を複合機１１外に排出させる。カバー４１は、その一部に開閉可能な扉部４４を含む。カバー４１は、扉部４４を閉鎖状態としたときにストック部４０が設けられる空間４５を閉鎖するようストック部４０を覆う。【選択図】図１
2016224145.tif 000002
【特許請求の範囲】
【請求項１】
用紙に画像を形成する画像形成装置であって、
トナーによる可視画像を形成して前記用紙に転写する作像器と、
前記作像器により前記用紙に転写された前記可視画像を前記用紙に定着させる定着部と、
前記定着部により定着させた前記用紙をストックするストック部と、
前記画像形成装置の動作を制御する制御部と、
その一部に開閉可能な扉部を含み、前記扉部を閉鎖状態としたときに前記ストック部が設けられる空間を密閉するよう前記ストック部を覆うカバーとを備える、画像形成装置。
【請求項２】
前記制御部は、前記ストック部に前記用紙がストックされてから所定の時間を経過した後に前記扉部を開放するよう制御する、請求項１に記載の画像形成装置。
【請求項３】
人間の所在を検知する人感センサーを備え、
前記制御部は、前記人感センサーにより前記人間の所在を検知されれば、前記扉部を開放するよう制御する、請求項１または２に記載の画像形成装置。
【請求項４】
前記ストック部が設けられる空間には、多孔質光触媒セラミックから構成される多孔質光触媒セラミック部材が設けられている、請求項１〜３のいずれか１項に記載の画像形成装置。
【請求項５】
前記多孔質光触媒セラミック部材は、酸化チタンを含む多孔質光触媒セラミック部材である、請求項４に記載の画像形成装置。
【請求項６】
前記カバーの少なくとも一部は光および紫外線のうちの少なくともいずれか一方が透過可能であり、
前記多孔質光触媒セラミック部材は、前記カバーを透過して前記光および前記紫外線のうちの少なくともいずれか一方が照射可能な位置に設けられている、請求項４または５に記載の画像形成装置。
【請求項７】
前記多孔質光触媒セラミック部材に紫外線を照射する多孔質光触媒セラミック部材紫外線照射部を備える、請求項４〜６のいずれか１項に記載の画像形成装置。
【請求項８】
前記ストック部が設けられた空間の内壁の少なくとも一部には、酸化チタンを含む光触媒部材が被覆されており、
前記光触媒部材に紫外線を照射する光触媒部材紫外線照射部を備える、請求項１〜７のいずれか１項に記載の画像形成装置。
【請求項９】
前記カバーの少なくとも一部は、高熱伝導部材から構成されている、請求項１〜８のいずれか１項に記載の画像形成装置。
【請求項１０】
前記カバーの少なくとも一部は、二重構造で構成されており、
前記二重構造を構成する部材の間の空気を排気する排気部を備える、請求項１〜９のいずれか１項に記載の画像形成装置。
【発明の詳細な説明】
【技術分野】
【０００１】
この発明は、画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写し、画像形成装置に備えられる定着部によって定着させ、装置外に排出する。
【０００３】
ここで、定着部を備える画像形成装置に関する技術が、特開２００５−７０２６４号公報（特許文献１）、および特開２００５−５５５１５号公報（特許文献２）に開示されている。
+
【先行技術文献】
【特許文献】
【０００４】
【特許文献１】特開２００５−７０２６４号公報
【特許文献２】特開２００５−５５５１５号公報
【発明の概要】
【発明が解決しようとする課題】
【０００５】
近年、画像形成装置といった電子機器から放出される臭いやＶＯＣ（Ｖｏｌａｔｉｌｅ  Ｏｒｇａｎｉｃ  Ｃｏｍｐｏｕｎｄｓ（揮発性有機化合物））、ＵＦＰ（Ｕｌｔｒａ  Ｆｉｎｅ  Ｐａｒｔｉｃｌｅ（超微粒子））といったケミカルエミッション（排出化学物質）の排出量の削減が強く求められている。
【０００６】
特許文献１に開示の画像形成装置においては、排気機構を設け、ケミカルエミッションの発生しやすい定着部周辺の空気を、設置されたフィルターを通してケミカルエミッションを取り除いた後、装置外に排出することとしている。しかし、このような構成では、定着部周辺の熱も排出されることとなり、定着部の熱効率が低下してしまうことになる。さらに、排気機構における騒音の問題も相まって、このような機構を採用することは、好ましくない。
【０００７】
また、特許文献２に開示の画像形成装置によると、排紙口付近にマイナスイオン発生器を設置し、発生するケミカルエミッションの分解や無害化を行うこととしている。しかし、このようなマイナスイオン発生器を設けることは、装置構成が大がかりとなってしまい、省スペース化およびコスト面の観点からすると、避けたいものである。
【０００８】
この発明の目的は、より効率的に外部に放出されるケミカルエミッションの低減を図ることができる画像形成装置を提供することである。
【課題を解決するための手段】
【０００９】
この発明の一の局面においては、画像形成装置は、用紙に画像を形成する。画像形成装置は、作像器と、定着部と、ストック部と、制御部と、カバーとを備える。作像器は、トナーによる可視画像を形成して用紙に転写する。定着部は、作像器により用紙に転写された可視画像を用紙に定着させる。ストック部は、定着部により定着させた用紙をストックする。制御部は、画像形成装置の動作を制御する。カバーは、その一部に開閉可能な扉部を含む。カバーは、扉部を閉鎖状態としたときにストック部が設けられる空間を密閉するようストック部を覆う。
【発明の効果】
【００１０】
このような画像形成装置によると、その一部に開閉可能な扉部を含み、扉部を閉鎖状態としたときにストック部が設けられる空間を密閉するようストック部を覆うカバーを備えるため、扉部を閉鎖した状態として、定着後の用紙をストック部に排出してストックすることができる。そうすると、画像を形成し、用紙に形成した可視画像を定着させる際に画像形成装置内で発生するケミカルエミッションについて、用紙の排出に伴って画像形成装置外へ放出されることを抑制することができる。したがって、より効率的に外部に放出されるケミカルエミッションの低減を図ることができる。
【図面の簡単な説明】
【００１１】
【図１】この発明の一実施形態に係る画像形成装置を複合機に適用した場合の複合機の外観を示す概略図であり、扉部が開放された状態を示す。
【図２】この発明の一実施形態に係る画像形成装置を複合機に適用した場合の複合機の外観を示す概略図であり、扉部が閉鎖された状態を示す。
【図３】この発明の一実施形態に係る画像形成装置を複合機に適用した場合の複合機の構成を示すブロック図である。
【図４】図１に示す複合機に含まれる画像形成部の構成を示す概略図である。
【図５】複合機を用いて、コンピューターから入力された画像データを出力する場合の処理の内容を示すフローチャートである。
【図６】この発明の他の実施形態に係る複合機の外観を示す概略図である。
【発明を実施するための形態】
【００１２】
以下、この発明の実施の形態を説明する。図１および図２は、この発明の一実施形態に係る画像形成装置を複合機に適用した場合の複合機の外観を示す概略図である。図１は、後述する扉部を開放した状態を示し、図２は、扉部を閉鎖した状態を示す。図３は、この発明の一実施形態に係る画像形成装置を複合機に適用した場合の複合機の構成を示すブロック図である。
【００１３】
図１〜図３を参照して、複合機１１は、制御部１２と、操作部１３と、画像読み取り部１４と、画像形成部１５と、用紙セット部１９と、ストック部４０と、格納部としてのハードディスク１６と、ファクシミリ通信部１７と、ネットワーク２５と接続するためのネットワークインターフェース部１８とを備える。
【００１４】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り部１４により読み取られた画像やネットワーク２５を介して送信された画像データを基に、搬送されてきた用紙に画像を形成する。画像形成部１５により画像を形成された用紙は、ストック部４０に排出されストックされる。ハードディスク１６は、送信された画像データや入力された画像形成条件等の格納を行う。ファクシミリ通信部１７は、公衆回線２４に接続されており、ファクシミリ送信やファクシミリ受信を行う。
【００１５】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図３中の矢印は、制御信号や制御、画像に関するデータの流れを示している。なお、図１および図２に示すように、この実施形態においては、給紙カセット群２９は、３つの給紙カセット２３ａ、２３ｂ、２３ｃから構成されている。
【００１６】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１７】
この発明の一実施形態に係る複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機やサーバーが接続されている構成でもよい。
【００１８】
次に、上記した画像形成部１５の構成について、さらに詳細に説明する。図４は、画像形成部１５の概略的な構成を示す図である。図４を参照して、画像形成部１５は、それぞれ感光体３１ａ、３１ｂ、３１ｃ、３１ｄを含み、イエロー、マゼンタ、シアン、ブラックの各４色に対応する４つの作像ユニット３２ａ、３２ｂ、３２ｃ、３２ｄを含む作像器３３と、画像読み取り部１４によって読み取った画像を基に、４つの作像ユニット３２ａ〜３２ｄにそれぞれ露光する露光ユニットとしてのＬＳＵ（Ｌａｓｅｒ  Ｓｃａｎｎｅｒ  Ｕｎｉｔ）３４と、作像ユニット３２ａ〜３２ｄによって形成されたトナーによる可視画像を用紙に転写する前に一時的に転写される中間転写体としての転写ベルト３５と、転写ベルト３５上に残存したトナーをブレード等によって除去する転写ベルトクリーニングユニット３７とを備える。ＬＳＵ３４については、一点鎖線で概略的に示している。転写ベルトクリーニングユニット３７についても、概略的に示している。画像形成部１５は、いわゆる４連タンデム形式の現像方式である。
【００１９】
複合機１１は、ブラックの作像ユニット３２ｄのみを用いたモノクロ印刷が可能である。また、デジタル複合機１１は、イエローの作像ユニット３２ａ、マゼンタの作像ユニット３２ｂ、およびシアンの作像ユニット３２ｃの少なくともいずれか一つを用いたカラー印刷が可能である。
【００２０】
転写ベルト３５は、無端状であって、駆動ローラー３６ａ、および従動ローラー３６ｂによって一方方向に回転しながら、イエロー、マゼンタ、シアン、ブラックの４色の作像ユニット３２ａ〜３２ｄにより形成された可視画像を転写される。転写ベルト３５の回転方向は、図３中の矢印Ｄ１で示される。なお、転写ベルト３５の回転方向において、作像ユニット３２ａ〜３２ｄのうち、イエローの作像ユニット３２ａが最も上流側に配置されており、ブラックの作像ユニット３２ｄが最も下流側に配置されている。また、転写ベルトクリーニングユニット３７は、イエローの作像ユニット３２ａの上流側に配置されている。
【００２１】
転写ベルト３５上に転写されたトナーによる可視画像は、搬送されてきた用紙に転写され、定着部３８により用紙に定着される。定着部３８により定着された用紙は、用紙排出口３９からストック部４０に排出され、ストックされる。画像が複数枚の用紙に亘って形成された場合、複数の用紙は、ストック部４０の上に積載されるようにしてストックされる。
【００２２】
ここで、複合機１１は、ストック部４０が設けられた空間４５を密閉するようにストック部４０を覆うカバー４１を備える。カバー４１は、具体的には、複合機１１のリア側に位置する奥壁４２と、複合機１１の横側に位置する側壁４３と、複合機１１のフロント側に位置する扉部４４とを含む。なお、図１および図２中の矢印Ｄ２で示す方向が、リア側からフロント側に向かう方向である。
【００２３】
側壁４３および扉部４４は、光および紫外線を透過させる透明の部材から構成されている。扉部４４は、開閉可能に構成されている。扉部４４は、制御部１２による制御により、フロント側となる手前側に倒されて、ストック部４０を開放状態とすることができる。扉部４４を開放状態とすることにより、ストック部４０にストックされた用紙を複合機１１外に取り出すことができる。
【００２４】
一方、扉部４４を閉鎖状態とすることにより、ストック部４０が設けられる空間４５を閉鎖状態、この場合、密閉状態とすることができる。扉部４４は、制御部１２による制御によりロックされ、閉鎖状態となる。この場合、ユーザーは、手動で扉部４４を開放することができない状態となる。
【００２５】
扉部４４は、制御部１２による制御により、用紙がストック部４０にストックされてから所定の時間が経過するまでロックされた状態である。すなわち、制御部１２は、ストック部４０に用紙がストックされてから所定の時間を経過した後に扉部４４を開放するよう制御している。
【００２６】
奥壁４２には、多孔質光触媒セラミック部材４６が取り付けられている。多孔質光触媒セラミック部材４６は、奥壁４２の壁面の中央を覆うようにして設けられている。多孔質光触媒セラミック部材４６は、透明の部材から構成されている側壁４３および扉部４４を透過して、光および紫外線が照射可能な位置に設けられている。多孔質光触媒セラミック部材４６は、酸化チタンを含む。用いられる酸化チタンとしては、例えば、ＴｉＯ２が挙げられる。
【００２７】
また、複合機１１は、人間の所在を検知する人感センサー４９を備える。人感センサー４９は、複合機１１のフロント側に取り付けられている。人感センサー４９により、複合機１１のフロント側に人が近づいてきたことを検知することができる。
【００２８】
扉部４４は、人感センサー４９により人間の所在を検知されれば、開放される。すなわち、制御部１２は、人感センサー４９により人間の所在を検知されれば、扉部４４を開放するよう制御している。具体的には、例えば、複合機１１の前に、複合機１１により外部から画像形成の要求を行ったユーザーが赴いた時に、人感センサー４９は、これを検知する。そして、制御部１２は、人感センサー４９の検知に基づいて、扉部４４のロックを解除し、扉部４４を開放する。逆に言えば、人感センサー４９により人間の所在を検知しなければ、制御部１２は、扉部４４のロックを解除せず、扉部４４の閉鎖状態を維持する。
【００２９】
ここで、上記した構成の複合機１１を用いて、用紙に画像を形成する場合について説明する。図５は、複合機１１を用いて、コンピューター２６ａから入力された画像データを用いて用紙に画像を形成する場合の処理の内容を示すフローチャートである。
【００３０】
図５を参照して、複合機１１は、コンピューター２６ａから画像データを入力させる（図５において、ステップＳ１１、以下、「ステップ」を省略する）。具体的には、コンピューター２６ａからの画像データの入力を受け付けると共に、画像データを基にした画像形成の要求を受け付ける。すなわち、いわゆる印刷ジョブの要求を受け付ける。
【００３１】
次に、複合機１１は、画像形成の要求に応じて、画像形成部１５により画像を形成する（Ｓ１２）。そして、画像を形成した用紙をストック部４０に排出してストックする（Ｓ１３）。ここで、扉部４４は、閉鎖状態である。すなわち、制御部１２は、扉部４４をロックして閉鎖状態としている。この場合、扉部４４が閉鎖状態であるため、ユーザーがストック部４０にストックされた用紙を取り出すことはできない。
【００３２】
次に、制御部１２は、所定の時間が経過したか否かを判断する（Ｓ１４）。所定の時間としては、例えば、数分〜十数分の間である。所定の時間を経過したと判断すれば（Ｓ１４において、ＹＥＳ）、次に、制御部１２は、人感センサー４９により人間の所在を検知したか否かを判断する（Ｓ１５）。この場合、複合機１１前まで、画像形成を要求したユーザーが赴いてきたか否かを判断することになる。
【００３３】
人感センサー４９により人間の所在を検知すれば（Ｓ１５において、ＹＥＳ）、制御部１２は、扉部４４を開放する（Ｓ１６）。すなわち、扉部４４のロックを解除して、扉部４４を開ける。その後、ユーザーは、ストック部４０に排出され、ストックされた用紙を入手する。
【００３４】
このような構成の複合機１１によれば、その一部に開閉可能な扉部４４を含み、扉部４４を閉鎖状態としたときにストック部４０が設けられる空間４５を密閉するようストック部４０を覆うカバー４１を備えるため、扉部４４を閉鎖した状態として、定着後の用紙をストック部４０に排出してストックすることができる。そうすると、画像を形成し、用紙に形成した可視画像を定着させる際に発生するケミカルエミッションについて、用紙の排出に伴って複合機１１外へ放出されることを抑制することができる。したがって、より効率的に外部に放出されるケミカルエミッションの低減を図ることができる。
【００３５】
この場合、ストック部４０が設けられた空間４５内に排出されたケミカルエミッションについては、カバー４１の内壁面等に付着する等して、時間の経過と共に減少していく。
【００３６】
また、この場合、奥壁４２に多孔質光触媒セラミック部材４６が設けられているため、用紙排出口３９からストック部４０が設けられる空間４５に排出されたケミカルエミッションを、多孔質光触媒セラミック部材４６により効率的に捕集することができる。したがって、よりケミカルエミッションの複合機１１外への放出を抑制することができる。
【００３７】
また、この場合、多孔質光触媒セラミック部材４６は、酸化チタンを含んでおり、側壁４３および扉部４４は、透明の部材から構成されているため、側壁４３および扉部４４側から光や紫外線が入射して多孔質光触媒セラミック部材４６に当たることとなる。そうすると、マイナスイオンの発生により多孔質光触媒セラミック部材４６により捕集したケミカルエミッションを分解して除去することができる。したがって、より効率的に外部に放出されるケミカルエミッションの低減を図ることができる。また、側壁４３および扉部４４を透明の部材で構成することにより、ストック部４０に用紙がストックされているか否かを容易に視認することもできる。
【００３８】
また、この場合、人感センサー４９により人間の所在を検知してから、扉部４４が開放状態となるため、ストック部４０が設けられた空間４５内のケミカルエミッションの捕集のための時間をさらに確保することができる。したがって、より確実に外部に放出されるケミカルエミッションの低減を図ることができる。
【００３９】
なお、上記の実施の形態において、制御部１２は、人感センサー４９の検知状態に関わらず、ストック部４０に用紙が排出されてから所定の時間を経過すれば、扉部４４を開放するよう制御してもよい。また、制御部１２は、人感センサー４９により人間の所在を検知すれば、所定の時間を経過していないにも関わらず、扉部４４を開放するよう制御してもよい。
【００４０】
また、ストック部４０が設けられた空間４５内において、多孔質光触媒セラミック部材４６に紫外線を照射する紫外線照射部を設けることとしてもよい。こうすることにより、より効率的に多孔質光触媒セラミック部材４６によって捕集したケミカルエミッションの分解および除去を図ることができる。
【００４１】
また、上記の実施の形態において、カバー４１の少なくとも一部を二重構造としてもよい。また、カバー４１の少なくとも一部を、高熱伝導部材で構成することとしてもよい。また、ストック部４０が設けられた空間４５に酸化チタンを含んだ光触媒部材を設けることとしてもよい。
【００４２】
図６は、この場合の複合機５１を示す図である。図６に示す複合機５１において、図１、および図２に示す複合機１１と同一の構成の部材については、同一の符号を付して、それらの説明を省略する。
【００４３】
図６を参照して、この発明の他の実施形態に係る複合機５１は、その一部に開閉可能な扉部４４を含み、扉部４４を閉鎖状態としたときにストック部４０が設けられる空間４５を密閉するようストック部４０を覆うカバー５２を備える。カバー５２は、奥壁４２と、側壁５３と、扉部４４とを含む。扉部４４は、透明の部材で構成されている。側壁５３は、二重構造となっており、外方側に配置される外壁５４と空間４５側に配置される内壁５５とを含む。外壁５４と内壁５５との間には、空間が設けられている。また、内壁５５は、高熱伝導部材から構成されている。高熱伝導部材としては、例えば、高熱伝導性樹脂や板金等が採用される。
【００４４】
奥壁４２には、酸化チタンを含んだ光触媒部材４８が被覆されている。この場合、奥壁４２の中央領域において塗布されるようにして、光触媒部材４８が設けられている。
【００４５】
複合機５１には、外壁５４と内壁５５との間を排気する二つのファン５６、５７が設けられている。すなわち、複合機５１は、二重構造を構成する部材となる外壁５４および内壁５５の間の空気を排気する排気部としてのファン５６、５７を備える。ファン５６、５７を作動させることにより、外壁５４と内壁５５との間の空気を排気することができる。具体的には、フロント側からリア側に向かって排気する。
【００４６】
また、複合機５１は、酸化チタンを含んだ光触媒部材４８に紫外線を照射する光触媒部材紫外線照射部５８を備える。光触媒部材紫外線照射部５８は、カバー５２によって覆われる空間４５内に設けられる。具体的には、空間４５内において、画像読み取り部１４が配置される天井側に設けられる。
【００４７】
このように構成することにより、側壁が二重構造となっており、二重構造を構成する外壁５４および内壁５５の間の空気を排気するファン５６、５７を備えるため、空間４５内の空気を外部に排出することなく、ストック部４０側に溜まった熱を効率よく放熱することができる。この場合、内壁５５は、高熱伝導部材から構成されているため、より放熱効果を高めることができる。
【００４８】
この場合、光触媒部材紫外線照射部５８を備えるため、より効率的に捕集したケミカルエミッションの分解および除去を行うことができる。紫外線の照射のタイミングについては、常時点灯しておいても良いし、ストック部４０に用紙が排出されたタイミングで点灯させるようにしてもよい。
【００４９】
なお、上記の実施の形態において、ストック部４０が設けられる空間４５に多孔質光触媒セラミック部材４６および酸化チタンを含んだ光触媒部材４８の双方を設けることとしてもよい。
【００５０】
また、上記の実施の形態においては、フロント側に位置する扉部４４を開閉可能な構成としたが、これに限らず、例えば、奥壁４２や側壁４３を開閉可能な構成としてもよい。
【００５１】
なお、上記の実施の形態において、扉部４４が開いている状態においては、画像形成部１５による画像形成ができないよう制御するようにしてもよい。この場合、その旨、すなわち、ストック部４０に用紙がストックされており、これを理由に画像形成ができない旨を、例えば、操作部１３の表示画面２１に表示するようにしてもよい。
【００５２】
また、上記の実施の形態において、扉部４４を開放する際に、制御部１２は、扉部４４のロックを解除するのみでもよい。この場合、ユーザーは、手動により扉部４４を開け、ストック部４０にストックされた用紙を取り出すこととなる。
【００５３】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５４】
この発明に係る画像形成装置は、外部に排出されるケミカルエミッションのより効率的な低減が要求される場合に、特に有効に利用される。
【符号の説明】
【００５５】
１１，５１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３１ａ，３１ｂ，３１ｃ，３１ｄ  感光体、３２ａ，３２ｂ，３２ｃ，３２ｄ  作像ユニット、３３  作像器、３４  ＬＳＵ、３５  転写ベルト、３６ａ  駆動ローラー、３６ｂ  従動ローラー、３７  転写ベルトクリーニングユニット、３８  定着部、３９  用紙排出口、４０  ストック部、４１，５２  カバー、４２  奥壁、４３，５３  側壁、４４  扉部、４５  空間、４６  多孔質光触媒セラミック部材、４８  光触媒部材、４９  人感センサー、５４  外壁、５５  内壁、５６，５７  ファン、５８  光触媒部材部材紫外線照射部。
【図１】
2016224145.tif 000003
【図２】
2016224145.tif 000004
【図３】
2016224145.tif 000005
【図４】
2016224145.tif 000006
【図５】
2016224145.tif 000007
【図６】
2016224145.tif 000008